(57)【要約】【課題】自動車内に設置したとき電子端末が運転者の近くに支持され、走行中に落下せず、着脱が容易で、自撮り用携行棒にも連結できる電子端末固定装置を提供すること。【解決手段】挟持ユニット２２の第１クリップ２１に第１挟持部２１１が、第２クリップ２２に第２挟持部２２１が設けられ、第１挟持部２１１の末端に第１当接部２１２が設けられ、その両側に下向きの枢着バー２１３が設けられ、第２挟持部２２１の末端に第２当接部を備えた上向きのフリップバー２２２が設けられ、第１当接部２１２と第２当接部の間に弾性部材２３が設置され、フリップバー２２２が枢着バー２１３に軸着され、第１リンクバー３０は一端が第１クリップ２１に固定され、他端に螺合固定部材３２が摺動可能に設置され、第２リンクバー４０は一端に螺合固定部材３２と螺合する螺合固定部材対応ユニット４１を備え、電子端末ホルダー５０が第２リンクバー４０の他端に設置される。【選択図】図２
0003202475.tif 000002
【実用新案登録請求の範囲】
【請求項１】
自撮り用携行棒及び車載用多用途電子端末固定装置であって、少なくとも挟持ユニットと、第１リンクバーと、第２リンクバーと、電子端末ホルダーを含み、
前記挟持ユニットが第１クリップと第２クリップを備え、前記第１クリップの前部と後部との間に折り曲げ部が設けられ、前記第１クリップの前端部に第１挟持部が設けられ、第１挟持部の末端において前記折り曲げ部近くの箇所に第１当接部が設けられ、前記第１当接部の両側に下に向かって折り曲げて延伸された２つの相互に平行の枢着バーが設けられて前記第１クリップの後部が形成され、前記第２クリップの前端部に前記第１挟持部と対向する第２挟持部が設けられ、前記第２クリップの第２挟持部の末端部に、上に向かって折り曲げて延伸された少なくとも１つのフリップバーが設けられ、前記フリップバーが前記第１当接部の表面に対応する第２当接部を備え、前記第１当接部と前記第２当接部の間に、前記第１当接部と前記第２当接部とを遠ざかる方向に付勢する弾性部材が設置され、かつ前記フリップバーが前記２つの枢着バー間に軸着され、
前記第１リンクバーはその一端が前記第１クリップに固定され、他端に少なくとも１つのネック部が設けられ、前記ネック部に少なくとも１つの螺合固定部材が摺動可能に設置され、
前記第２リンクバーはその一端に前記螺合固定部材に螺合可能な螺合固定部材対応ユニットを備え、
前記電子端末ホルダーは、電子端末の底面を受ける本体と、電子端末の側面に係止する保持部材とを含み、前記本体が前記第２リンクバーの他端に設置され、前記保持部材が前記本体の周縁に凸設される、
ことを特徴とする、自撮り用携行棒及び車載用多用途電子端末固定装置。
【請求項２】
さらに自撮り用携行棒を含み、前記自撮り用携行棒の上端部に、前記第２リンクバーの螺合固定部材対応ユニットに螺合可能な螺合固定部材が設置されたことを特徴とする、請求項１に記載の自撮り用携行棒及び車載用多用途電子端末固定装置。
【請求項３】
前記第１挟持部及び前記第２挟持部の対向面に少なくとも１つの緩衝パッドが設置されたことを特徴とする、請求項１に記載の自撮り用携行棒及び車載用多用途電子端末固定装置。
【考案の詳細な説明】
【技術分野】
【０００１】
本考案は、自撮り用携行棒や車両へ取り付けて利用できる自撮り用携行棒及び車載用多用途電子端末固定装置に関する。
【背景技術】
【０００２】
科学技術の進歩に伴い、現在、電子端末、特にスマートフォンの運用はすでに非常に多様化している。例えば、自動車の運転時には、内蔵のＧＰＳ装置を通じてナビゲーションサービスを提供することができる。一般的な電子端末を自動車の運転時に使用する際には、車両への固定装置を組み合わせる。
一般的な固定装置としては、図１に示すように、吸盤１１をウィンドシールドのガラス上に吸着させて支持される固定装置１０があり、使用者が運転時に手で持つことなく、固定装置１０上の電子端末を操作したり、ナビゲーション情報を読み取ったりすることができるようになっている。
【０００３】
しかしながら、従来の固定装置１０をウィンドシールドのガラス上に固定する吸盤１１は、シリコン材料を用いることが多く、長期間使用すると、シリコン材料が太陽の直射や温度の影響を受けて硬化し、その吸着力が大きな影響を受けるため、固定装置１０が走行時の揺れや慣性のために脱落し、運転時の安全性に重大な影響を与えることがある。
さらに、固定装置１０をウィンドシールドのガラス上に固定したとき、ほとんどの場合運転者とウィンドシールドガラス間の距離が遠すぎて、電子端末に表示された内容がよく見えないことが多いだけでなく、運転者が前記電子端末を操作するとき、前に身を乗り出して近づき、運転席の背もたれから離れる必要がある。
【考案の概要】
【考案が解決しようとする課題】
【０００４】
本考案が解決しようとする課題は、上述の問題を解決し、自動車内に設置したとき電子端末が運転者の近くに支持され、安全且つ容易に使用でき、走行中に誤って電子端末が落下することがなく、また着脱が容易で、同じ規格を採用した自撮り用携行棒に連結して使用することもできる、自撮り用携行棒及び車載用多用途電子端末固定装置を提供することにある。
【課題を解決するための手段】
【０００５】
本考案の自撮り用携行棒及び車載用多用途電子端末固定装置は、少なくとも挟持ユニットと、第１リンクバーと、第２リンクバーと、電子端末ホルダーを含み、前記挟持ユニットが第１クリップと第２クリップを備え、前記第１クリップの前部と後部との間に折り曲げ部が設けられ、前記第１クリップの前端部に第１挟持部が設けられ、第１挟持部の末端において前記折り曲げ部近くの箇所に第１当接部が設けられ、前記第１当接部の両側に下に向かって折り曲げて延伸された２つの相互に平行の枢着バーが設けられて前記第１クリップの後部が形成され、前記第２クリップの前端部に前記第１挟持部と対向する第２挟持部が設けられ、前記第２クリップの第２挟持部の末端部に、上に向かって折り曲げて延伸された少なくとも１つのフリップバーが設けられ、前記フリップバーが前記第１当接部の表面に対応する第２当接部を備え、前記第１当接部と前記第２当接部の間に、前記第１当接部と前記第２当接部とを遠ざかる方向に付勢する弾性部材が設置され、かつ前記フリップバーが前記２つの枢着バー間に軸着され、前記第１リンクバーはその一端が前記第１クリップに固定され、他端に少なくとも１つのネック部が設けられ、前記ネック部に少なくとも１つの螺合固定部材が摺動可能に設置され、前記第２リンクバーはその一端に前記螺合固定部材に螺合可能な螺合固定部材対応ユニットを備え、前記電子端末ホルダーは、電子端末の底面を受ける本体と、電子端末の側面に当接する保持部材とを含み、前記本体が前記第２リンクバーの他端に設置され、前記保持部材が前記本体の周縁に凸設される。
【０００６】
さらに自撮り用携行棒を含み、前記自撮り用携行棒の上端部に、前記第２リンクバーの螺合固定部材対応ユニットに螺合可能な螺合固定部材が設置されることが望ましい。
前記第１挟持部及び前記第２挟持部の対向面に少なくとも１つの緩衝パッドが設置されるとよい。
【考案の効果】
【０００７】
本考案によれば、挟持ユニットを運転席のダッシュボードの凸リブ辺縁に取り付けると、電子端末ホルダーの位置が運転者により近くなり、電子端末を容易に使用することができる。また、挟持ユニットは良好な弾性的挟持力を提供し、走行の過程で誤って脱落したり、劣化して挟持力が低下したりすることがない。
第１リンクバーと第２リンクバーとは、螺合固定部材及び螺合固定部材対応ユニットで簡易な着脱が可能であり、第２リンクバーを同じ規格の螺合固定部材を備えた自撮り用携行棒に連結して使用することもできる。
【図面の簡単な説明】
【０００８】
【図１】従来の電子端末固定装置をダッシュボードに設置した状態を示す概略図である。
【図２】本考案の実施例を示す電子端末固定装置の斜視図である。
【図３】本考案の実施例に係る挟持ユニットの分解斜視図である。
【図４】本考案の実施例に係る第１リンクバー及び第２リンクバーの結合部分の断面図である。
【図５】本考案の実施例を示す電子端末固定装置のダッシュボードに取り付けた状態における斜視図である。
【図６】本考案の実施例を示す電子端末固定装置のダッシュボードに取り付けた状態における側面図である。
【図７】本考案の実施例を示す電子端末固定装置の自撮り用携行棒に取り付けた状態における正面図である。
【考案を実施するための形態】
【０００９】
以下、本考案の実施例を図面に基づいて詳細に説明する。
図２に示すように、本考案の自撮り用携行棒及び車載用多用途電子端末固定装置は、挟持ユニット２０と、第１リンクバー３０と、第２リンクバー４０と、電子端末ホルダー５０を含む。
【００１０】
挟持ユニット２０は、少なくとも第１クリップ２１、第２クリップ２２及び弾性部材２３から構成される。
図２及び図３に示すように、第１クリップ２１は、前部と後部との間に折り曲げ角度を有する折り曲げ部Ｒが設けられて略Ｌ字状に形成される。第１クリップ２１の前端部は第１挟持部２１１となっており、第１挟持部２１１の末端の折り曲げ部Ｒ近くの箇所に第１当接部２１２が設けられる。第１当接部２１２の両側には下に向かって２つの相互に平行の枢着バー２１３が延伸され、第１クリップ２１の後部を形成している。また、２つの枢着バー２１３には、同一軸心の貫通孔２１４が穿設される。
【００１１】
第２クリップ２２の前端部には、第１クリップ２１の第１挟持部２１１と対向する第２挟持部２２１が設けられ、第２クリップ２２の第２挟持部２２１の末端部に、上に向かって折り曲げて垂直に延伸された少なくとも１つのフリップバー２２２が設けられる。
フリップバー２２２の第２挟持部２２１近くの位置に少なくとも１つの穿孔２２３が穿設され、かつフリップバー２２２は第１当接部２１２の内側表面に対応する第２当接部２２４を備える。
【００１２】
そして、第２クリップ２２のフリップバー２２は第１クリップ２１の２つの平行な枢着バー２１３の間に取り付けられ、第１クリップ２１の後端部の枢着バー２１３の貫通孔２１４と第２クリップ２２の穿孔２２３に軸ピン２４が挿通されて、第１クリップ２１と第２クリップ２２が軸ピン２４を軸心として回動可能に連結される。
また、第１当接部２１２と第２当接部２２４の間に、第１当接部２１２と第２当接部２２４を遠ざける方向に付勢する弾性部材２３が介在される。弾性部材２３が発生する付勢力を利用して第１挟持部２１１と第２挟持部２２１とを接近させ、第１当接部２１２及び第２当接部２２４によって挟む動作を生じさせ、第１挟持部２１１と第２挟持部２２１に挟持状態を継続して保持させる。第１挟持部２１１及び第２挟持部２２１の対向面には弾性緩衝パッド２５が設置される。
【００１３】
図２及び図４に示すように、第１リンクバー３０は、その一端が第１クリップ２１の外側頂部に取り付けられ、その他端に少なくとも１つのネック部３１が設けられる。ネック部３１は主に螺合固定部材３２（図４参照）を位置規制するために用いられ、ネック部３１の形成された範囲内で螺合固定部材３２を上下移動または正逆回転させ、螺合固定部材３２をネック部３１上で往復摺動させることができる。
【００１４】
第２リンクバー４０は、その一端に第１リンクバー３０に設けられた螺合固定部材３２に螺合可能な少なくとも１つの螺合固定部材対応ユニット４１が設置される。
【００１５】
図２に示すように、電子端末ホルダー５０は、電子端末の底面を受ける本体５１と、電子端末の側面に係止する保持部材５２を含む。本体５１は自在継手５１１を介して連結端４２の他端に枢着される。保持部材５２は本体５１の周縁に凸設される。
【００１６】
以下、本考案の自撮り用携行棒及び車載用多用途電子端末固定装置の使用方法を説明する。
図５と図６に、自撮り用携行棒及び車載用多用途電子端末固定装置をダッシュボードに設置した状態を示す。
挟持ユニット２０を取り付けるときは、まず第１当接部２１２及び第２当接部２２４間に配置された弾性部材２３の付勢力に抗して、直接手でフリップバー２２２を後方へ移動させ（枢着バー２１３の方向に近づける）、第１挟持部２１１と第２挟持部２２１を開口させ、この開口を自動車の運転席前のダッシュボード凸リブ辺縁６０に配置した後、フリップバー２２２を放すと、弾性部材２３の弾性力で第１当接部２１２と第２当接部２２４が外側に向かって押されて、第１挟持部２１１と第２挟持部２２１の間に挟持力が生じ、凸リブ辺縁６０を挟持する。
【００１７】
第１リンクバー３０と第２リンクバー４０を連結するときは、まず、螺合固定部材３２を後退させておいて、螺合固定部材３２と螺合固定部材対応ユニット４１を揃え、図４に示すように、螺合固定部材３２を螺合固定部材対応ユニット４１に螺合すると、両者を固定して一体として連結することができる。第１リンクバー３０と第２リンクバー４０を取り外すときは、螺合固定部材３２を逆方向に回すだけで、螺合固定部材対応ユニット４１と螺合固定部材３２を分離することができる。
螺合固定部材３２は主に第１リンクバー３０のネック部３１が形成する範囲内で上下移動または正逆方向に回転するため、連結または取り外しの際、第１リンクバー３０と第２リンクバー４０の間には回転運動が発生せず、車内の物品（ハンドルなど）にぶつかり、設置の邪魔になることがない。
【００１８】
電子端末７０を電子端末ホルダー５０に取り付けるときは、まず電子端末７０を本体５１上に配置してから、保持部材５２の位置を調整し、電子端末７０を本体５１上に位置決めして固定することができ、自在継手５１１で電子端末７０の方向を調整し、運転者が最も見やすいようにすることができる。
【００１９】
設置完了後、電子端末７０がダッシュボードの凸リブ辺縁６０の近くに位置し、運転席に近づけて運転者が容易に操作することができ、かつ挟持ユニット２０が良好な挟持効果を生じるため、走行時に落下することがなく、また第１クリップ２１と第２クリップ２２内の緩衝パッド２５が良好な緩衝効果を発揮すると同時に、さまざまな形状の凸リブ辺縁６０を緊密に挟持することができる。
【００２０】
また、図７に示すように、運転者が車を降りる際は、第２リンクバー４０を取り外し、電子端末７０を電子端末ホルダー５０とともに車外に持ち出し、第２リンクバー４０を自撮り用携行棒８０の螺合固定部材８１と相互に螺合して連結することで、自撮り用携行棒８０を撮影の補助用具または支持体等として使用でき、電子端末ホルダー５０の使用範囲を効果的に拡張できる。
【００２１】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００２２】
１０    固定装置
１１    吸盤
２０    挟持ユニット
２１    第１クリップ
２１１  第１挟持部
２１２  第１当接部
２１３  枢着バー
２１４  貫通孔
Ｒ     折り曲げ部
２２   第２クリップ
２２１ 第２挟持部
２２２ フリップバー
２２３ 穿孔
２２４ 第２当接部
２３   弾性部材
２４   軸ピン
２５   緩衝パッド
３０   第１リンクバー
３１   ネック部
３２   螺合固定部材
４０   第２リンクバー
４１   螺合固定部材対応ユニット
４２   連結端
５０   電子端末ホルダー
５１   本体
５１１ 自在継手
５２   保持部材
６０   凸リブ辺縁
７０   電子端末
８０   自撮り用携行棒
８１   固定部材
【図１】
0003202475.tif 000003
【図２】
0003202475.tif 000004
【図３】
0003202475.tif 000005
【図４】
0003202475.tif 000006
【図５】
0003202475.tif 000007
【図６】
0003202475.tif 000008
【図７】
0003202475.tif 000009